(57)【特許請求の範囲】
【請求項１】
密閉されたパウチ容器内に、少なくとも水分を含む飲用物と、水と反応して水素ガスを発生させるための水素生成物質と、が収納され、
前記パウチ容器に、一端部が該パウチ容器内に連通されると共に他端部が該パウチ容器の外部に位置された飲み口部とされたストローが一体化されており、
前記飲み口部がキャップにより施蓋されて、該キャップを取外すことにより該飲み口部から前記パウチ容器内の飲用物が取り出されるようにされ、
前記ストロー内に、前記水素生成物質が収納されている、
ことを特徴とする飲用物を収納したパウチ容器。
【請求項２】
請求項１において、
前記水素生成物質が、ミネラル物質と混在されたものを焼成してなるセラミックとされた状態で、前記ストロー内に収納されている、
ことを特徴とする飲用物を収納したパウチ容器。
【請求項３】
請求項２において、
前記ストローの他端に他端開口部が形成されると共に側面に側面開口部が形成されて、該他端開口部と該側面開口部を通して前記ストロー内がパウチ容器内と連通されており、
前記セラミックが、前記ストローの他端開口部を通して該ストロー内に収納され、
前記ストローの他端部に、前記セラミックが前記他端開口部から抜け落ちるのを防止するための抜け止め部材が取付けられ、
前記セラミックの大きさが、前記側面開口部からは抜け出ることのできない大きさとされている、
ことを特徴とする飲用物を収納したパウチ容器。
【請求項４】
請求項２または請求項３において、
前記水素生成物質が、金属マグネシウムとされ、
前記ミネラル物質がカルシウムとされている、
ことを特徴とする飲用物を収納したパウチ容器。
【請求項５】
密閉されたパウチ容器内に、少なくとも水分を含む飲用物と、水と反応して水素ガスを発生させるための水素生成物質と、が収納され、
前記パウチ容器を構成する外装シートのうち飲用物の水分と接触する面に、前記水素生成物質が練り込まれている、
ことを特徴とする飲用物を収納したパウチ容器。
【請求項６】
密閉されたパウチ容器内に、少なくとも水分を含む飲用物と、水と反応して水素ガスを発生させるための水素生成物質と、が収納され、
前記パウチ容器を構成する外装シートが、内側のシートとその直外側に重合された外側シートとを有し、
前記外側シートに前記水素生成物質が練り込まれ、
前記内側シートが、液体の水は通過させないが水蒸気が通過可能な微細孔を有している、
ことを特徴とする飲用物を収納したパウチ容器。
【請求項７】
少なくとも水分を含む飲用物が収納されるパウチ容器を構成するための外装シート材であって、
パウチ容器を構成したときにその内部の水分と接触されることとなる面に、水と反応して水素ガスを発生させるための水素生成物質が練り込まれている、
ことを特徴とする飲用物を収納したパウチ容器を構成するための外装シート材。
【請求項８】
少なくとも水分を含む飲用物が収納されるパウチ容器を構成するための外装シート材であって、
前記パウチ容器を構成する外装シートが、内側のシートとその直外側に重合された外側シートとを有し、
前記外側シートに前記水素生成物質が練り込まれ、
前記内側シートが、液体の水は通過させないが水蒸気が通過可能な微細孔を有している、
ことを特徴とする飲用物を収納したパウチ容器を構成するための外装シート材。
【発明の詳細な説明】
【技術分野】
【０００１】
本発明は、飲用物を収納したパウチ容器およびその外装シート材に関するものである。
【背景技術】
【０００２】
近時、健康の維持、増進等の観点から水素水が注目されている。このため、水素水を容器内に充填した状態で販売することも行われている。
【０００３】
一方、飲用物を収納した容器として、特許文献１に示すように、パウチ容器がある。パウチ容器は、既知のように、可撓性を有する外装シート材によって密閉容器として形成されて、開封部を開封した状態で、内部の飲用物を絞り出して飲用することができるようになっいる。このようなパウチ容器においては、ストローがあらかじめ一体化されて、ストローの一端部を飲み口部として外部に露出させる一方、ストローの他端部をパウチ容器内に位置させた状態で、飲み口部をキャップで施蓋するものも多くなっている。この場合、キャップを開けて開封することにより、飲み口部よりパウチ容器内の飲用物を容易に飲用できることになる。
【０００４】
さらに、還元水素（Ｈ-）を含む還元水素水が各種分野において注目されてきており、例えば、酸化防止、洗浄作用、化粧作用、皮膚病などの予防や治癒作用等においての利用が考えられている。また、還元水素水を飲用することにより、体内の活性酸素を低減させる作用も期待されている。
【０００５】
還元水素（Ｈ-）を含む還元水素水は、特許文献２〜特許文献４に記載のように、水に対して金属マグネシウム等の水素反応物質を反応させることによって、電気分解装置等を利用しなくとも簡単に生成することが可能である。すなわち、例えば水と金属マグネシウムとの反応により水酸化マグネシウムと水素ガスに変化する過程において、還元水素が発生されることになる。そして、特許文献４には、還元水素水を手軽に利用できるように、マグネシウム粉末が充填された透水性の棒状カートリッジを、水が充填されたペットボトル等の容器内に入れるようにしたものが開示されている。
【先行技術文献】
【特許文献】
【０００６】
【特許文献１】特開２０１３−４９４６１号公報
【特許文献２】特開２００４−３３００２８号公報
【特許文献３】特開２００３−１０８６５号公報
【特許文献４】特開２００３−２４９５６号公報
【発明の概要】
【発明が解決しようとする課題】
【０００７】
水素ガスが溶け込んだ水素水をパウチ容器内に収納して、水素水を簡便に飲用できるようにすることが考えられる。しかしながら、パウチ容器内の水素水は、それから発生する水素ガスが、パウチ容器の外郭を構成する外装シート材のシール部（結合部）を通して、あるいはパウチ容器に一体的に組み込まれたストローとのシール部やそのキャップの微少隙間を通して外部に漏れ出てしまうことになる。つまり、水素水を飲用しようとしてパウチ容器を開封した状態では、パウチ容器内の水素水には、水素ガスが殆ど溶存しないかあるいは極めて低濃度でしか溶存しない状態となっているもが実情であり、水素ガスが十分に溶け込んだ水素水をパウチ容器を利用して提供することが事実上不可能である。特に、還元水素水をパウチ容器で提供しようとすることは、元々還元水素が早期に消滅しやすいこともあって、より一層実現不可能である。
【０００８】
本発明は以上のような事情を勘案してなされたもので、その第１の目的は、パウチ容器によって水素ガスが十分に溶け込んだ水素水を提供できるようにした飲用物を収納したパウチ容器を提供することにある。
【０００９】
本発明の第２の目的は、上記パウチ容器を構成するのに好適なパウチ容器を構成するための外装シート材を提供することにある。
【課題を解決するための手段】
【００１０】
前記第１の目的を達成するため、本発明にあっては次のような第１の解決手法を採択してある。すなわち、請求項１に記載のように、
密閉されたパウチ容器内に、少なくとも水分を含む飲用物と、水と反応して水素ガスを発生させるための水素生成物質と、が収納され、
前記パウチ容器に、一端部が該パウチ容器内に連通されると共に他端部が該パウチ容器の外部に位置された飲み口部とされたストローが一体化されており、
前記飲み口部がキャップにより施蓋されて、該キャップを取外すことにより該飲み口部から前記パウチ容器内の飲用物が取り出されるようにされ、
前記ストロー内に、前記水素生成物質が収納されている、
ようにしてある．上記解決手法によれば、水素がガスとなってパウチ容器のシール部等から外部に漏れ出ても、パウチ容器内の水と水素生成物質とが反応して水素ガスがあらたに発生されることになり、長期の保存後にあっても、水素ガスが十分に溶存した水素水を提供することができる。
【００１１】
以上に加えて、ストローのキャップを取り外すだけで、容易に水素水を飲用することができる。また、一般的なパウチ容器構造のものをそのまま利用する等の上でも好ましいものとなる。
【００１２】
また、ストローの内部空間を有効に利用して、水素生成物質をパウチ容器内に収納しておくことができる。
【００１３】
上記解決手法を前提とした好ましい態様は、特許請求の範囲における請求項２〜請求項４に記載のとおりである。
【００１４】
前記水素生成物質が、ミネラル物質と混在されたものを焼成してなるセラミックとされた状態で、前記ストロー内に収納されている、ようにしてある（請求項２対応）。この場合、水素生成物質とミネラル物質とをセラミックとして、例えばパウチ容器内への充填作業の容易化等、その取扱いを容易にする上で好ましいものとなる。また、セラミックが間違いなく充填されていることを、パウチ容器を振ることにより発生する音によって容易に確認することができ、水素生成物質とミネラル物質との少なくとも一方をパウチ容器内に充填することを忘れてしまう事態を防止する等の上でも好ましいものとなる。以上に加えて、飲用直前にパウチ容器をふることにより、セラミックと水との接触を促進させて、高濃度の還元水素水が生成されるようにする上でも好ましいものとなる。
【００１５】
前記ストローの他端に他端開口部が形成されると共に側面に側面開口部が形成されて、該他端開口部と該側面開口部を通して前記ストロー内がパウチ容器内と連通されており、
前記セラミックが、前記ストローの他端開口部を通して該ストロー内に収納され、
前記ストローの他端部に、前記セラミックが前記他端開口部から抜け落ちるのを防止するための抜け止め部材が取付けられ、
前記セラミックの大きさが、前記側面開口部からは抜け出ることのできない大きさとされている、
ようにしてある（請求項３対応）。この場合、既存のストロー構造を有効に利用しつつ、ストロー内にセラミックを容易に収納することができる。
【００１６】
前記水素生成物質が、金属マグネシウムとされ、
前記ミネラル物質がカルシウムとされている、
ようにしてある（請求項４対応）。この場合、前記水素生成物質およびミネラル物質について具体的な好ましいものが提供される。
【００１７】
前記目的を達成するため、本発明にあっては次のような第２の解決手法を採択してある。すなわち、請求項５に記載のように、
密閉されたパウチ容器内に、少なくとも水分を含む飲用物と、水と反応して水素ガスを発生させるための水素生成物質と、が収納され、
前記パウチ容器を構成する外装シートのうち飲用物の水分と接触する面に、前記水素生成物質が練り込まれている、
ようにしてある。上記解決手法によれば、外装シート材によってパウチ容器を構成するだけで、自動的にパウチ容器内への水素生成物質の収納を行うことができる。
【００１８】
前記目的を達成するため、本発明にあっては次のような第３の解決手法を採択してある。すなわち、請求項６に記載のように、
密閉されたパウチ容器内に、少なくとも水分を含む飲用物と、水と反応して水素ガスを発生させるための水素生成物質と、が収納され、
前記パウチ容器を構成する外装シートが、内側のシートとその直外側に重合された外側シートとを有し、
前記外側シートに前記水素生成物質が練り込まれ、
前記内側シートが、液体の水は通過させないが水蒸気が通過可能な微細孔を有している、
ようにしてある。上記解決手法によれば、外装シート材によってパウチ容器を構成するだけで自動的にパウチ容器内への水素生成物質の収納を行ないつつ、水素ガスの発生能力を、内側シートの微細孔を利用して所望のものに容易に設定する等の上で好ましいものとなる。
【００１９】
前記第２の目的を達成するため、本発明にあっては次のような解決手法を採択してある。すなわち、請求項７に記載のように、
少なくとも水分を含む飲用物が収納されるパウチ容器を構成するための外装シート材であって、
パウチ容器を構成したときにその内部の水分と接触されることとなる面に、水と反応して水素ガスを発生させるための水素生成物質が練り込まれている、
ようにしてある．上記解決手法によれば、請求項５に記載のパウチ容器を構成するための外装シート材が提供される。
【００２０】
前記第２の目的を達成するため、本発明にあっては次のような解決手法を採択してある。すなわち、請求項８に記載のように、
少なくとも水分を含む飲用物が収納されるパウチ容器を構成するための外装シート材であって、
前記パウチ容器を構成する外装シートが、内側のシートとその直外側に重合された外側シートとを有し、
前記外側シートに前記水素生成物質が練り込まれ、
前記内側シートが、液体の水は通過させないが水蒸気が通過可能な微細孔を有している、
ようにしてある。この場合、請求項６に対応したパウチ容器を構成するための外装シート材が提供される。
【発明の効果】
【００２１】
本発明によれば、パウチ容器を利用して、十分な濃度の水素ガスが溶け込んだ水素水を長期に渡って保存可能としつつ、必要なときに即座に水素水を供給することができ、しかも容易に取扱うことができる。
【図面の簡単な説明】
【００２２】
【図１】本発明が適用されたパウチ容器の斜視図。
【図２】図１のパウチ容器に一体的に組み込まれたストローを、収納したセラミックと共に示す断面図。
【図３】図１のストローを、キャップと抜け止め部材を取外して示す一部断面側面図。
【図４】本発明の別の実施形態を示すもので、外装シート材の要部断面図。
【図５】図４の変形例を示す外装シート材の要部断面図。
【図６】図２の変形例を示すもので、ストローの他端開口部付近の要部断面図。
【発明を実施するための形態】
【００２３】
図１において、１はパウチ容器であり、容器本体１０とストロー２０とを一体的に組み立てたものとなっている。容器本体１０は、例えば、正面と背面と左右の側面を構成する４枚の外装シート材を、その外周縁部でシールする（結合する）ことにより、密閉容器状として形成されている。
【００２４】
ストロー２０は、その一端部が容器本体１０の外部に露出された状態で、その他端部が容器本体１０内に挿入されている。勿論、容器本体１０とストロー２０との結合部位もシールされている。外部に露出するストロー２０の一端部は、飲み口部２１とされて、この飲み口部２１は、常時はキャップ２２により施蓋されている。なお、上記各シールされた部分やキャップ２２による施蓋部分（の微少隙間）は、液体の通過は完全に阻止できる一方、水素ガスの通過は完全には阻止できないものとなっている。
【００２５】
上記パウチ容器１内つまり容器本体１０内には、次のものが封入されている。まず、不純物が十分除去された飲用物としての精製水が封入されている。
【００２６】
容器本体１０内には、さらに、球状のセラミックからなるセラミックボール３０が封入されている（図２参照）。セラミックボール３０は、水素生成物質（実施形態では金属マグネシウム）とミネラルイオンを発生させるためのミネラル物質（実施形態ではカルシウム）とを含むものである。具体的には、セラミックボール３０は、粉状の金属マグネシウムとカルシウムとの混練物を焼成したものとなっている。
【００２７】
精製水とセラミックボール３０とは、パウチ容器１が封入される前に、パウチ容器１内に充填され、充填された状態でかつ飲み口部２１がキャップ２２により施蓋された状態が、図１の状態とされる。
【００２８】
図１の状態において、精製水には、セラミックボール３０から溶け出したカルシウムが、プラスに帯電したカルシウムイオンとして溶け込んだ状態とされる。また、セラミックボール３０の成分となる金属マグネシウムが、精製水と反応して、水酸化マグネシウムと水素ガスとを生成し、この水素ガスの生成過程において還元水素が生成される。そして、還元水素は、カルシウムイオンに吸着されることになる。上記反応が十分に進んだ所定時間経過した後は、飲用物としての精製水は、還元水素を含む還元水素水とされる（還元水素水に変化される）。還元水素ガスを含む水素ガスがパウチ容器１から徐々に漏れ出ても、あらたに還元水素ガスを含む水素ガスが生成されるので、還元水素水としてパウチ容器１内で長期間（例えば３年間）に渡って保存することが可能である。
【００２９】
パウチ容器１内の還元水素水を飲用するに際しては、キャップ２２を取外して、容器本体１０を手指で絞りつつ、飲み口部２１から飲用すればよい。
【００３０】
前記セラミックボール３０は、実施形態では、ストロー２０内に収納するようにしてあり、この点について図２、図３を参照しつつ説明する。なお、図２が、ストロー２０内にセラミックボール３０を収納した状態を示し、図３は、セラミックボール２０の収納前の状態が示される。
【００３１】
まず、ストロー２０は、合成樹脂により、一端部（上端部）と他端部（下端部）とが開口された細長い筒状とされている。ストロー２０の一端部側にある一端開口部２０ａが、飲み口部２１の開口部となる。また、他端開口部が符号２０ｂで示される。
【００３２】
図２、図３中、２３が容器本体１０（を構成する外装シート材）との結合部位（シール位）であり、この結合部２３よりも図中下方部分が、容器本体１０内に挿入（位置）される。
【００３３】
ストロー２０は、その上記結合部位２３よりも下方部分で、かつ他端開口部２０ｂよりも上方位置において、複数の側面開口部２０ｃを有する。セラミックボール３０は、他端開口部２０ｂの内径よりも小径とされて、当該他端開口部２０ｂを通して、ストロー２０内に収納される。
【００３４】
ストロー２０の他端部には、キャップ状の抜け止め部材２４が係止されており、この抜け止め部材２４によって、セラミックボール３０がストロー２０の他端開口部２０ｂから抜け出るのが規制される。すなわち、ストロー２０の他端部外周面には、係止突起部２０２５が形成されて、抜け止め部材２４が、他端開口部２０ｂを閉塞した状態で，係止突起部２５に係止されて、ストロー２０からの脱落が規制されている。なお、抜け止め部材２４は、ストロー２０に対して接着剤によって接着する等、適宜の手法でストロー２０に対して一体化することができる。
【００３５】
また、側面開口部２０ｃは、細長い長孔状とされて、その幅はセラミックボール３０の直径よりも小さくされている。つまり、セラミックボール３０は、側面開口部２０ｃを通してストロー２０の外部へ抜け出ることができないようにされている。なお、ストロー２０の内壁面には、セラミックボール３０の直上方位置において、規制壁部２７が形成されて、セラミックボール３０が不必要に飲み口部２１側へ向けて移動してしまうのが規制されている。
【００３６】
セラミックボール３０は、あらかじめストロー２０内に収納され、かつストロー２０に抜け止め部材２４が一体化された状態で、容器本体１に対して組み付けられる。つまり、容器本体１へストロー２０を組み付けたときに、容器本体１０内にセラミックボール３０が自動的に収納される状態とされる。この後、飲み口部２１を通して容器本体１内に精製水が充填され、この後、飲み口部２１がキャップ２２により施蓋される。容器本体１内の精製水が、側面開口部２０ｃを通してストロー２０内に進入して、セラミックボール３０と接触される（還元水素を含む水素水の生成）。なお、抜け止め部材２４に小孔を形成して、この小孔を通して精製水がセラミックボール３０に向けて進入するようにしてもよい。
【００３７】
図４は、パウチ容器１内への水素生成物質の別の収納（充填）例を示すものであり、容器本体１の外殻を構成する外装シート材４０に水素生成物質を練り込むようにした例を示す。まず、外装シート材４０は、その内面側から外面側に向けて順次、第１層シート４１、第２層シート４２、第３層シート４３の３層のシート材を重合することにより構成されている。第１層シート４１は、シーラント基材となるもので、例えばＰＰ（ポリプロピレン）、ＰＥ（ポリエチレン）あるいはＰＥＴ（ポリエチレンテレフタレート）からなる。また、第２層シート４２は、バリア基材となるもので、例えばＡＬ（アルミ泊）により形成されている。第３層シート４３は、主基材で、例えばＰＥＴやＮＹ（ナイロン）で形成されている。
【００３８】
水素生成物質は、例えばセラミックボール３０と同一成分であるが微粉末とされたものが、第１層シート４１に練り込まれている。これにより、外装シート材４０により構成されたパウチ容器１内の精製水が、第１層シート４１に練り込まれた水素生成物質と反応して、還元水素水が生成されることになる。
【００３９】
図５は、図４の変形例を示すものである。すなわち、図４の場合は、第１層シート４１を、内側シート４１Ａと外側シート４１Ｂとの２層構造としてある。そして、水素生成物質が外側シート４１Ｂに練り込まれている。さらに、内側シート４１Ａは、水（液体の水）は通過させないが、水蒸気は通過できる微細孔を有するものとなっている（水蒸気のみを通過させるシートはフィルムシートとして市販されている）。これにより、パウチ容器１内で発生される水素ガスの単位時間あたりの生成量をコントロールする上で好ましいものとなる（ゆっくりとした生成に好適）。
【００４０】
図６は、図２の変形例で、別途抜け止め部材２４３を用いることなく、セラミックボール３０をストロー２０内に収納する例が示される。すなわち、ストロー２０の他端を、径方向内方側でかつ一端側に向けて折り返すことにより、係止爪部２６が一体に形成されている。このような係止爪部２６は、周方向に間隔をあけて複数個（例えば３〜４個）形成されている。複数の係止爪部２６の先端同士の間隔は、セラミックボール３０の直径よりも小さくされている。
【００４１】
セラミックボール３０は、他端開口部２０ｂより、係止爪部２６を弾性変形させつつ、ストロー２０内に収納される。ストロー２０内に収納された後は、係止爪部２６によって、他端開口部２０ｂから抜け出るのが規制される。
【００４２】
ここで、パウチ容器１内の精製水２０が還元水素水である（還元水素を含む）ものであることを実証するために、次のような試験を行った。なお、パウチ容器１内の精製水の水量は２００ｃｃ、セラミックボール４０の直径は５ｍｍ、セラミックボール３０の構成成分となる金属マグネシウムの重量は３０ｍｇ、亜硫酸カルシウムの重量は１００ｍｇ、その他成分を３０ｍｇとし、同組成のセラミックボールを１個入れた。また、精製水とセラミックボール３０を封入した後、２４時間経過した直後のものを用いた（精製水の溶存水素量は、パウチ容器１への封入前では検出不可で、図１の状態にした後２４時間を経過した時点で１．０ｐｐｍ以上であった）。
【００４３】
まず、過酸化水素水とヨウ素調合液で、酸化還元試薬を調整した。この酸化還元試薬を、不織布に適量垂らして薄茶色の擬似的な酸化シミを作った。この酸化シミに向けてパウチ容器１内の精製水をふりかけたところ、数秒で無色になった（精製水が還元作用を有する還元水素水であることの実証）。
【００４４】
次に、ビーカに入れた上記酸化還元試薬に不織布を全体的に漬け込んで、不織布が酸化シミで全体的に薄茶色に変色したものを用意した。この不織布に、パウチ容器１内の精製水を対角線上に振りかけたところ、精製水を振りかけたところだけが無色に変化した（精製水が還元作用を有する還元水素水であることの実証）。
【００４５】
さらに、上記酸化還元試薬をビーカ内に入れて、ビーカ内の酸化還元試薬に向けて、パウチ容器１内から精製水を滴下させた。滴下直後は、液面に液滴が衝突し、気泡を伴いながら全体が白濁した。その後、１０秒程度の静置で気泡が消え、試薬全体が無色になった（精製水２０が還元作用を有する還元水素水であることの実証）。
【００４６】
ここで、パウチ容器１内でミネラル物質と反応させる水のＰＨ値により、水素の発生に要する時間及び発生量が異なるものである。例えば金属マグネシウムとカルシウムを混在させたセラミックを用いる場合、ＰＨが低い（酸性）ほど反応が早く、水素発生に要する時間が短くなる。また、金属マグネシウムとカルシウムを混在させたセラミックとＰＨが高い（アルカリ性）水であっても触媒作用を有するカリウムやナトリウム、チタンや鉄など別のミネラルを水に溶解させることで水素発生時間を短くすることができる。金属マグネシウムやカルシウムとは異なるミネラル類である鉄などを反応物質とした場合は、ＰＨが高い（アルカリ性）方が水素発生に要する時間が短くなることもあるが、鉄と水の反応速度は極めて遅いために、実用性の観点からは使用しずらいものとなる。
【００４７】
パウチ容器１内でミネラル物質と反応させる水は、不純物が含まれていない純水が好ましいが、ここでいう不純物とは主に有機物である。あらかじめ無機物（ミネラル類）を溶解させている水は、液中の溶存エネルギー量（イオン濃度）を高め、伝導率の高い反応水となることから水とセラミックの反応（電子移動）を促進させる（すなわち水素の発生を促進させる）ことになる。あらかじめ無機物（ミネラル類）を溶解させた水は、天然の地下水（飲用水や温泉水）などでも同様の効果を得ることができる。また、溶存させておいたミネラル類は発生した還元水素（Ｈ-）及び水素分子（Ｈ2）と結びついて、液中に還元水素（Ｈ-）及び水素分子（Ｈ2）を保持する機能を有する。仮に動植物抽出液などの有機物が含まれた水であっても有機物含有量が１％重量濃度以下である場合、水素の発生及び保持に与える影響は低い。有機物高濃度水を用いる際は、ＰＨとミネラル溶解量のコントロールで水素発生を促進させればよい。
【００４８】
以上実施形態について説明したが、本発明は、実施形態に限定されるものではなく、特許請求の範囲の記載された範囲において適宜の変更が可能である。水素生成物質としては、金属マグネシウムに限らず、例えばニッケル触媒、純粋カルシウム（金属カルシウム）、イオン交換樹脂等、適宜のものを利用することができる。また、ミネラル物質としては、例えばナトリウムやカリウム等、適宜のものを利用することができる。セラミックボール３０は、大きなものを１つのみ封入するようにしてもよく、あるいは小さなものを複数個封入するようにしてもよい。セラミックボール３０の機能を果たすセラミックとしては、球状に限らず、棒状等適宜の形状とすることができ、また粉状、粒状等適宜の形態とすることができる。また、水素生成物質およびミネラル物質をセラミックとすることなく、例えば粉状、粒状等それぞれ単独で存在した状態でパウチ容器１内に封入するようにしてもよい。パウチ容器１内に微弱電流および遠赤外線を放射するセラミックを別途封入しておくこともでき、この場合、精製水を還元水素水に変化させる速度（効率）を高める上で好ましいものとなる。セラミックボールだけでなく、プラチナやダイアモンドなどをナノコロイド状にした粉体または水和物も触媒作用で電子を放出し、精製水を還元水素水に変化させる速度（効率）を高め、還元水素を水中に維持させる上で好ましいものとなる。
【００４９】
容器本体１内にあらかじめ精製水を充填した後、セラミックボール３０を収納したストロー２０を容器本体１に組み付ける（一体化する）等、適宜の手法で精製水（飲用物）とセラミックボール３０をパウチ容器１内に充填することができる。外装シート材４０は、その層の数や材質を適宜変更することができる。パウチ容器１内には、水素生成物質のみを収納（充填）するようにして、ミネラル成分を含まないようにすることもできる。飲用物としては、精製水の他に、各種のジュースやコーラ、スポーツ飲料等々の液体や、ゼリー状のもの等、水分を含むものであれば、適宜のものとすることができる。パウチ容器１は、ストロー２０を有しないものであってもよく、例えば容器本体１０の一部を切り取ったり破ることにより開封するものであってよい。パウチ容器１（容器本体１０）の形状は、適宜変更できる。勿論、本発明の目的は、明記されたものに限らず、実質的に好ましいあるいは利点として表現されたものを提供することをも暗黙的に含むものであり、またパウチ容器１内への充填方法として把握することも可能である。
【産業上の利用可能性】
【００５０】
本発明は、水素水をパウチ容器を利用して簡便に飲用することができる。
【符号の説明】
【００５１】
１：パウチ容器
１０：容器本体
２０：ストロー
２０ａ：一端開口部
２０ｂ：他端開口部
２０ｃ：側面開口部
２１：飲み口部
２２：キャップ
２３：結合部位
２４：抜け止め部材
２５：係止突起部
２６：係止爪部
３０：セラミックボール（セラミックボール＋ミネラル）
４０：外装シート材
４１：第１層シート
４１Ａ：内側シート
４１Ｂ：外側シート
４２：第２層シート
４３：第３層シート
【要約】
【課題】パウチ容器によって水素水を提供できるようにする。
【解決手段】密閉されたパウチ容器１内に、少なくとも水分を含む飲用物と、水と反応して水素ガスを発生させるための水素生成物質３０と、が収納される。水素がガスとなってパウチ容器１のシール部等から外部に漏れ出ても、パウチ容器１内の水と水素生成物質３０とが反応して水素ガスがあらたに発生されることになり、長期の保存後にあっても、水素ガスが十分に溶存した水素水を提供することができる。水素生成物質３０は、例えばストロー２０内に収納したり、外装シート材４０に練り込んでおくことができる。
【選択図】  図２【図１】
0005474242.tif 000002
【図２】
0005474242.tif 000003
【図３】
0005474242.tif 000004
【図４】
0005474242.tif 000005
【図５】
0005474242.tif 000006
【図６】
0005474242.tif 000007